(57)【要約】【課題】受信信号の受信に資する、送信レベルの最大値を設定する技術を提供する。【解決手段】充電用コイルは、外部の充電器側コイルからの磁束が鎖交することで誘導起電力を発生させる。電池波当該誘導起電力によって充電される。送信レベル決定部は無線通信部を介して送信される送信信号の送信レベルを、外部装置からの要求に応じて増大させつつ、最大値を超えないように送信レベルを決定する。最大値設定部は、誘導起電力を用いた充電が行われているときの最大値を、誘導起電力を用いた充電が行われていないときの最大値よりも小さく設定する。【選択図】図７
2015208093.tif 000002
【特許請求の範囲】
【請求項１】
外部装置と無線通信する無線装置であって、
外部の充電器側コイルからの磁束が鎖交することで誘導起電力を発生させる充電用コイルと、
前記誘導起電力によって充電される電池と、
前記外部装置との無線通信を行う無線通信部と、
前記無線通信部から送信される送信信号の送信レベルを、前記外部装置からの要求に応じて増大させつつ、最大値を超えないように前記送信レベルを決定する送信レベル決定部と、
前記誘導起電力を用いた充電が行われているときの前記最大値を、前記誘導起電力を用いた充電が行われていないときの前記最大値よりも小さく設定する最大値設定部と
を備える、無線装置。
【請求項２】
請求項１に記載の無線装置であって、
前記最大値設定部は、前記誘導起電力を用いた充電が行われているときに、前記無線通信部で受信する受信信号の受信レベルが小さいほど前記送信レベルの最大値を小さく設定する、無線装置。
【請求項３】
請求項２に記載の無線装置であって、
前記最大値設定部は、前記誘導起電力を用いた充電が行われているときに、前記受信レベルと等しい受信感度に対応する前記送信レベル以下の値に、前記送信レベルの最大値を設定する、無線装置。
【請求項４】
請求項１から３のいずれか一つに記載の無線装置であって、
前記充電器側コイルから発生する電磁波の高次の周波数と、前記送信信号の周波数との和が、前記無線通信部を介して受信する受信信号の周波数と一致する、無線装置。
【請求項５】
請求項１から４のいずれか一つに記載の無線装置であって、
前記無線通信部は、第１周波数帯域と第２周波数帯域との両方に対応しており、
前記第１周波数帯域において、前記充電器側コイルから発生する電磁波の高次の周波数と、前記送信信号の周波数との和が、前記無線通信部を介して受信する受信信号の周波数と一致し、
前記第２周波数帯域において、前記充電器側コイルから発生する電磁波の高次の周波数と、前記送信信号の周波数との和のいずれもが、前記受信信号の周波数と一致せず、
前記最大値設定部は、前記第２周波数帯域において、前記誘導起電力を用いた充電の実行の有無によらずに前記送信レベルの最大値を変更しない、無線装置。
【請求項６】
請求項１から４のいずれか一つに記載の無線装置であって、
前記無線通信部は、第１周波数帯域と第２周波数帯域との両方に対応しており、
前記第１周波数帯域において、送信帯域および受信帯域がそれぞれ1851.25〜1908.75[MHz]および1931.25-1988.75[MHz]であり、
前記第２周波数帯域において、送信帯域および受信帯域がそれぞれ824.7〜848.31[MHz]および869.7〜893.31[MHz]、もしくは、817.9〜823.1[MHz]および862.9〜868.1[MHz]であり、
前記最大値設定部は、前記第２周波数帯域において、前記誘導起電力を用いた充電の実行の有無によらずに前記送信レベルの最大値を変更しない、無線装置。
【請求項７】
請求項１から６のいずれか一つに記載の無線装置であって、
前記充電用コイルから前記電池へと流れる充電電流を調整する電流調整部を更に備え、
前記電流調整部は、前記無線通信部を介して受信する受信信号の受信レベルが基準値よりも小さいときに、受信感度が、前記受信レベルが前記基準値よりも大きいときの受信感度よりも向上するように、前記充電電流を調整する、無線装置。
【請求項８】
請求項７に記載の無線装置であって、
表示装置と、
通話に関する処理を行なう通話処理部と、
前記誘導起電力を用いた充電が行われつつ通話が行なわれたときに、通話中に充電電流が低減する可能性についての情報を、前記表示装置に表示する表示制御部と
を更に備える、無線装置。
【請求項９】
外部装置と無線通信する無線装置であって、
外部の充電器側コイルからの磁界が鎖交することで誘導起電力を発生させる充電用コイルと、
前記誘導起電力によって充電される電池と、
無線通信部と、
前記無線通信部を介して送信される送信信号の送信レベルを、前記外部装置からの要求に応じて増大させつつ、最大値を超えないように前記送信レベルを決定する送信レベル決定部と
を備える無線装置において、前記無線通信部を介した送信信号の送信レベルの最大値を設定する方法であって、
前記誘導起電力を用いた充電が行われているときの前記最大値を、前記誘導起電力を用いた充電が行われていないときの前記最大値よりも小さく設定する、無線装置における送信レベルの最大値の設定方法。
【発明の詳細な説明】
【技術分野】
【０００１】
本発明は、無線装置および無線装置における送信レベルの最大値の設定方法に関する。
【背景技術】
【０００２】
特許文献１にも記載されているように、従来からコイルを備える通信端末に関して様々な技術が提案されている。特許文献１では、第１コイルに発生する誘導起電力を用いて電池（バッテリー）を充電する。この第１コイルの誘導起電力は、外部の充電器に設けられた第２コイルからの磁束が第１コイルに鎖交することで、発生する。
【先行技術文献】
【特許文献】
【０００３】
【特許文献１】特開２００８−１３１８１２号公報
【発明の概要】
【発明が解決しようとする課題】
【０００４】
特許文献１では、無線装置を充電器の上に載置して充電を行う。しかしながら、この状態で通信を行うと、受信感度が劣化する。これにより、受信信号の適切な受信を行なうことができない場合が生じえる。
【０００５】
そこで、本発明は上述した点に鑑みて成されたものであり、受信信号の受信に資する、送信信号の送信レベルの設定技術を提供することを目的とする。
【課題を解決するための手段】
【０００６】
上記課題を解決するため、本発明にかかる無線装置の一態様は、外部装置と無線通信する無線装置であって、外部の充電器側コイルからの磁束が鎖交することで誘導起電力を発生させる充電用コイルと、前記誘導起電力によって充電される電池と、前記外部装置との無線通信を行う無線通信部と、前記無線通信部から送信される送信信号の送信レベルを、前記外部装置からの要求に応じて増大させつつ、最大値を超えないように前記送信レベルを決定する送信レベル決定部と、前記誘導起電力を用いた充電が行われているときの前記最大値を、前記誘導起電力を用いた充電が行われていないときの前記最大値よりも小さく設定する最大値設定部とを備える。
【０００７】
また、本発明にかかる無線装置の一態様は、前記最大値設定部は、前記誘導起電力を用いた充電が行われているときに、前記無線通信部を介して受信する受信信号の受信レベルが小さいほど前記送信レベルの最大値を小さく設定する。
【０００８】
また、本発明にかかる無線装置の一態様は、前記最大値設定部は、前記誘導起電力を用いた充電が行われているときに、前記受信レベルと等しい受信感度に対応する前記送信レベル以下の値に、前記送信レベルの最大値を設定する。
【０００９】
また、本発明にかかる無線装置の一態様は、前記送信信号の周波数および前記充電器側コイルから発生する電磁波の高次の周波数の和が、前記無線通信部を介して受信する受信信号の周波数と一致する。
【００１０】
また、本発明にかかる無線装置の一態様は、前記無線通信部は、第１周波数帯域と第２周波数帯域との両方に対応しており、前記第１周波数帯域において、前記送信信号の周波数および前記充電器側コイルから発生する電磁波の高次の周波数の和が、前記無線通信部を介して受信する受信信号の周波数と一致し、前記第２周波数帯域において、前記送信信号の周波数および前記電磁波の高次の周波数の和のいずれもが、前記受信信号の周波数と一致せず、前記最大値設定部は、前記第２周波数帯域において、前記誘導起電力を用いた充電の実行の有無によらずに前記送信レベルの最大値を変更しない。
【００１１】
また、本発明にかかる無線装置の一態様は、第１から第４のいずれか一つの態様にかかる無線装置であって、前記無線通信部は、第１周波数帯域と第２周波数帯域との両方に対応しており、前記第１周波数帯域において、送信帯域および受信帯域がそれぞれ1851.25〜1908.75[MHz]および1931.25-1988.75[MHz]であり、前記第２周波数帯域において、送信帯域および受信帯域がそれぞれ824.7〜848.31[MHz]および869.7〜893.31[MHz]、もしくは817.9〜823.1[MHz]および862.9〜868.1[MHz]であり、前記最大値設定部は、前記第２周波数帯域において、前記誘導起電力を用いた充電の実行の有無によらずに前記送信レベルの最大値を変更しない。
【００１２】
また、本発明にかかる無線装置の一態様は、前記充電用コイルから前記電池へと流れる充電電流を調整する電流調整部を更に備え、前記電流調整部は、前記無線通信部で受信する受信信号の受信レベルが基準値よりも小さいときに、受信感度が、前記受信レベルが前記基準値よりも大きいときの受信感度よりも向上するように、前記充電電流を調整する。
【００１３】
また、本発明にかかる無線装置の一態様は、表示装置と、通話に関する処理を行なう通話処理部と、前記誘導起電力を用いた充電が行われつつ通話が行なわれたときに、通話中に充電電流が低減する可能性についての情報を、前記表示装置に表示する表示制御部とを更に備える。
【００１４】
また、本発明にかかる無線装置における送信レベルの最大値の設定方法の一態様は、外部装置と無線通信する無線装置であって、外部の充電器側コイルからの磁界が鎖交することで誘導起電力を発生させる充電用コイルと、前記誘導起電力によって充電される電池と、無線通信部と、前記無線通信部を介して送信される送信信号の送信レベルを、前記外部装置からの要求に応じて増大させつつ、最大値を超えないように前記送信レベルを決定する送信レベル決定部とを備える無線装置において、前記無線通信部を介した送信信号の送信レベルの最大値を設定する方法であって、前記誘導起電力を用いた充電が行われているときの前記最大値を、前記誘導起電力を用いた充電が行われていないときの前記最大値よりも小さく設定する。
【発明の効果】
【００１５】
本発明によれば、受信信号の受信に資する。
【図面の簡単な説明】
【００１６】
【図１】無線通信システムの概念的な構成の一例を示す図である。
【図２】基地局の動作の一例を示すフローチャートである。
【図３】無線装置の電気的な構成の一例を概略的に示すブロック図である。
【図４】非接触充電を説明するための図である。
【図５】無線装置と非接触充電器との一例を概略的に示す断面図である。
【図６】充電部と充電検出部の内部構成の一例を概略的に示すブロック図である。
【図７】無線装置の制御部の概念的な構成の一例を示す図である。
【図８】送信レベル決定部の動作の一例を示すフローチャートである。
【図９】最大値設定部の動作の一例を示すフローチャートである。
【図１０】受信感度および送信レベルの関係の一例と、受信レベルおよび送信レベルの関係の一例とを模式的に示す図である。
【図１１】タイムチャートの一例を示す図である。
【図１２】制御部の動作の一例を示すフローチャートである。
【図１３】充電部と充電検出部の内部構成の一例を概略的に示すブロック図である。
【図１４】充電電流と受信感度との関係を模式的に示す図である。
【図１５】電流制御部の動作の一例を示すフローチャートである。
【図１６】タイムチャートの一例を示す図である。
【図１７】制御部の動作の一例を示すフローチャートである。
【図１８】充電電流と受信感度との関係を模式的に示す図である。
【図１９】表示制御部の動作の一例を示すフローチャートである。
【図２０】充電通知画面の一例を概念的に示す図である。
【図２１】表示制御部の動作の一例を示すフローチャートである。
【図２２】表示制御部の動作の一例を示すフローチャートである。
【図２３】送信レベルの制御と充電電流の制御を示す図である。
【発明を実施するための形態】
【００１７】
第１の実施の形態．
＜全体構成＞
図１は無線通信システムの概念的な構成の一例を示している。無線通信システムは外部装置の一例たる基地局２と、無線装置（例えば携帯無線端末）１とを有している。携帯無線端末１は使用者によって操作される。携帯無線端末１は基地局２と無線通信を行なうことができる。携帯無線端末１は送信信号Ｔｘ１を基地局２へと送信し、基地局２はこれを受信信号Ｒｘ２として受信する。また基地局２は送信信号Ｔｘ２を携帯無線端末１へと送信し、携帯無線端末１はこれを受信信号Ｒｘ１として受信する。
【００１８】
携帯無線端末１は例えばスマートフォン等の携帯電話機、あるいはＰＤＡ(Personal Data Assistance)、タブレット端末等の携帯情報端末である。基地局２は、上位のネットワーク（電話網またはインターネット網など）或いは他の基地局と、携帯無線端末１との通信を中継する。これにより、基地局２は異なる携帯無線端末１同士の通信も中継することができる。
【００１９】
＜基地局＞
基地局２は、無線通信部２１０と、制御部２１とを備えている。無線通信部２１０はアンテナ２１１を備えている。無線通信部２１０はアンテナ２１１を介して携帯無線端末１へと送信信号Ｔｘ２を送信し、またアンテナ２１１を介して携帯無線端末１から受信信号Ｒｘ２を受信する。
【００２０】
制御部２１は基地局２の全体を制御する。制御部２１は例えばＣＰＵ等の演算処理装置と、メモリ等の記憶部とを備えている。記憶部には、基地局２を制御するプログラムが格納されており、演算処理装置がプログラムを実行することにより、基地局２を制御する。
【００２１】
例えば制御部２１は送信信号Ｔｘ２を生成し、無線通信部２１０およびアンテナ２１１を介して携帯無線端末１へと送信信号Ｔｘ２を送信する。また制御部２１は、アンテナ２１１および無線通信部２１０を介して受け取った受信信号Ｒｘ２を解析し、その内容に応じた制御を実行する。
【００２２】
また図１に示すように、制御部２１は受信レベル測定部２２と受信レベル判定部２３と送信レベル増大要求部２４とを備える。なおこれらの機能は、制御部２１のプログラムの実行によって形成されてもよく、あるいは、これらの一部または全部をハードウェアで形成しても構わない。
【００２３】
図２は制御部２１の動作の一例を示す図である。ステップＳ１にて、受信レベル測定部２２は受信信号Ｒｘ２を入力し、その受信レベル（電力値）を測定する。次にステップＳ２にて、受信レベル判定部２３は受信レベルが基準値よりも大きいか否かを判定する。この判定は周知の比較器を用いて行なうことができる。この基準値としては、受信信号Ｒｘ２を解析するのに必要な受信レベルの値（受信感度）が採用される。よって受信レベルが基準値よりも小さいときには、適切な解析を行なうことが難しい。
【００２４】
そこでステップＳ２にて受信レベルが基準値よりも小さいと判定されたときには、ステップＳ３にて、送信レベル増大要求部２４は、送信信号Ｔｘ１の送信レベルの増大を携帯無線端末１に要求する。より具体的には、送信レベルの増大を要求する要求信号を送信信号Ｔｘ２に含めた上で、これを、アンテナ２１１および無線通信部２１０を介して携帯無線端末１に送信する。この要求信号には、送信レベルの増大量を含めても良い。
【００２５】
なお以下では、所定の信号を送信信号Ｔｘ２に含め、アンテナ２１１および無線通信部２１０を介して送信信号Ｔｘ２を送信することを、単に信号を送信する、とも表現する。同様に受信信号Ｒｘ２に含まれた所定の信号を、アンテナ２１１および無線通信部２１０を介して受信することを、単に信号を受信する、とも表現する。携帯無線端末１においても同様である。
【００２６】
携帯無線端末１がこの要求信号を受信すると、当該要求信号に応じて送信信号Ｔｘ１の送信レベル（電力値）を増大させる。要求信号に増大量が含まれている場合には、その増大量の分、送信レベルを増大させる。より大きい送信レベルで送信信号Ｔｘ１が送信されるので、基地局２で受信する受信信号Ｒｘ２の受信レベルも増大する。よって、適切な受信レベルで受信信号Ｒｘ２を受信することができる。
【００２７】
他方、ステップＳ２にて受信レベルが基準値よりも大きいときには、ステップＳ３を行なわずに処理を終了する。つまり、既に受信レベルが十分であるときには、要求信号を送信しない。大きい送信レベルでの送信信号Ｔｘ１の送信によって消費電力が増大するところ、これにより、携帯無線端末１における消費電力の増大を回避しているのである。
【００２８】
＜携帯無線端末＞
図３は、携帯無線端末１の電気的構成の一例を概略的に示すブロック図である。図３に示されるように、携帯無線端末１には、制御部１０、無線通信部１１０、表示装置２０、タッチパネル３０、ＬＥＤ表示部４０、操作キー５０、電池６０、充電検出部７０、電荷量検出部７８、充電部８０、マイク１５０、前面側撮像部１６０、裏面側撮像部１７０、スピーカー１８０、圧電振動素子１９０および近接無線通信部９０が設けられている。携帯無線端末１に設けられた、これらの構成要素は、携帯無線端末１の筐体内に収められている。
【００２９】
制御部１０は、ＣＰＵ（Central Processing Unit）１０１、ＤＳＰ（Digital Signal Processor）１０２および記憶部１０３等を備えている。制御部１０は、携帯無線端末１の他の構成要素を制御することによって、携帯無線端末１の動作を統括的に管理する。記憶部１０３は、ＲＯＭ（Read Only Memory）およびＲＡＭ（Random Access Memory）等で構成されている。記憶部１０３には、携帯無線端末１を制御するための、具体的には携帯無線端末１が備える無線通信部１１０、表示装置２０等の各構成要素を制御するための制御プログラムであるメインプログラムおよび複数のアプリケーションプログラム（例えば通話、電子メールおよびインターネットなどのプログラム）等が記憶されている。制御部１０の各種機能は、ＣＰＵ１０１およびＤＳＰ１０２が記憶部１０３内の各種プログラムを実行することによって実現される。
【００３０】
無線通信部１１０は、アンテナ１１１を有している。無線通信部１１０は、携帯無線端末１とは別の携帯無線端末あるいはインターネットに接続されたウェブ基地局等の通信装置との通信信号の送受信を、基地局２を介してアンテナ１１１を用いて行う。
【００３１】
近接無線通信部９０は、アンテナ９１を有している。近接無線通信部９０は、無線通信部１１０の通信対象（基地局２）に比べて近い位置に存在する通信端末との通信を行なう。近接無線通信部９０は、例えばＢＬＵＥＴＯＯＴＨ（登録商標）規格などに則って通信を行なう。
【００３２】
この近接無線通信の利用方法としては、例えばヘッドセット４（図１）を用いて通話を行なう方法が挙げられる。携帯無線端末１は近接無線通信部９０およびアンテナ９１を介してヘッドセット４と通信する。
【００３３】
ヘッドセット４は、イヤホン、マイク、操作部および近接無線通信部を備え、使用者に装着可能である。携帯無線端末１は、通話相手の携帯無線端末１から音声信号を、基地局２を介して受信し、これをヘッドセット４へと送信する。ヘッドセット４はこの音声信号をイヤホンで音に変換して出力する。使用者が発した音声はヘッドセット４のマイクによって音声信号に変換されて、これが携帯無線端末１へと送信される。携帯無線端末１はこの音声信号を、基地局２を介して通話相手の携帯無線端末へと送信する。また使用者がヘッドセット４の操作部を介して通話の応答または終了を入力すると、これらの情報が携帯無線端末１へと送信される。このようにして使用者はヘッドセット４を用いて通話を行なうことができる。またヘッドセット４は使用者に装着されるので、携帯無線端末１およびヘッドセット４を把持する必要がなく、両手を自由にすることができる。
【００３４】
表示装置２０は、例えば、液晶ディスプレイあるいは有機ＥＬディスプレイである。表示装置２０によって表示された各種情報は、携帯無線端末１の表示領域を通じて外部から視認される。
【００３５】
タッチパネル３０は、例えば、投影型静電容量方式のタッチパネルであり、表示装置２０に対向して配置される。タッチパネル３０は、互いに対向配置されたシート状の二つの電極センサを備えている。使用者が指等の操作子で表示領域に対して接触すると、タッチパネル３０における、当該操作子と対向する部分の静電容量が変化する。そして、タッチパネル３０は、静電容量の変化に応じた電気的な信号を制御部１０に出力する。このように、タッチパネル３０は、操作子の表示領域に対する接触を検出することができる。
【００３６】
操作キー５０は、押下されることで、電気的な指示信号を制御部１０に出力する。操作キー５０およびタッチパネル３０はいずれも携帯無線端末１への操作を受け付けるという点で共通する。
【００３７】
スピーカー１８０は、制御部１０から入力される電気的な音信号を音に変換して出力することで、携帯無線端末１から離れた場所に存在する使用者に着信音などを提供する。
【００３８】
マイク１５０および圧電振動素子１９０は例えば通話に用いられる。この通話は上述したヘッドセット４を用いた通話とは異なる態様の通話である。ここでは、使用者はマイク１５０を口元に、圧電振動素子１９０を耳元にそれぞれ近接させて通話を行う。マイク１５０には、通話等の際に使用者の音声等が入力され、入力された音声等を電気的な信号に変換して制御部１０に出力する。
【００３９】
圧電振動素子１９０は、制御部１０から与えられる駆動電圧によって振動させられる。制御部１０は、音信号に基づいて駆動電圧を生成し、当該駆動電圧を圧電振動素子１９０に与える。圧電振動素子１９０が、制御部１０によって音信号に基づいて振動させられることによって、携帯無線端末１（より詳細には、使用者の耳が近接される表面）が音信号に基づいて振動する。その結果、使用者に受話音が伝達される。この受話音の音量は、使用者が耳を携帯無線端末１に近づけた際に適切に聞こえる程度の音量となっている。
【００４０】
図３の例示では、使用者への受話音の伝達のために圧電振動素子１９０を採用しているものの、圧電振動素子１９０の代わりに、例えば、制御部１０からの電気的な音信号を音に変換して出力するダイナミックスピーカーを採用してもよい。ダイナミックスピーカーを採用する場合には、携帯無線端末１にレシーバ穴が設けられる。ダイナミックスピーカーから出力される音は、レシーバ穴から外部に出力される。レシーバ穴から出力される音の音量は、スピーカー１８０から出力される音の音量よりも小さくなっている。
【００４１】
ＬＥＤ表示部４０は発光素子（例えばＬＥＤ：発光ダイオード）を有しており、その発光が制御部１０によって制御される。ＬＥＤ表示部４０は、例えば後述する電池６０の充電を行っているとき、あるいは、未応答の着信もしくは未読の電子メールがあるときに、これを使用者に報知すべく発光する。
【００４２】
前面側撮像部１６０および裏面側撮像部１７０は、静止画像および動画像を撮像する。裏面側撮像部１７０は携帯無線端末１の裏面側に設けられる。
【００４３】
電池６０はいわゆるバッテリーであり、携帯無線端末１の動作電源として機能する。電池６０は、携帯無線端末１において電源を必要とする各部（図３に例示する各部）へと直流電源を供給する。
【００４４】
電荷量検出部７８は電池６０に蓄積された電荷量を検出し、これを制御部１０へと出力する。制御部１０は例えば電池６０の電荷量（バッテリー残量）を表示装置２０に表示する。
【００４５】
充電部８０は外部の充電器から電力を受け取り、これを用いて電池６０を充電する。より具体的には充電部８０は非接触充電部８２と充電用コネクタ（接続部）８４とを有している。非接触充電部８２および充電用コネクタ８４は後に述べるように、それぞれ非接触充電器および接触充電器から電力を受け取り、それぞれ電池６０を充電することができる。制御部１０は非接触充電部８２および充電用コネクタ８４の一方を選択し、選択した一方が電池６０を充電する。
【００４６】
充電検出部７０は充電部８０が充電器から電力を受け取っているか否かを検出する。より具体的には、非接触充電部８２が非接触充電器から電力を受け取っているか否か、および、充電用コネクタ８４が接触充電器から電力を受け取っているか否かを検出する。その検出結果は制御部１０に入力される。
【００４７】
制御部１０は充電検出部７０の検出結果に応じて、非接触充電部８２および充電用コネクタ８４の一方を選択して、これを用いて電池６０を充電する。
【００４８】
＜充電＞
以下では、図４および図５を用いて、非接触充電部８２による電池６０の充電を説明し、図６を用いて充電部８０および充電検出部７０の内部構成の具体的な一例を説明する。
【００４９】
図４では、携帯無線端末１と非接触充電器８との一例が斜視図で示されている。携帯無線端末１は例えば平板状の形状を有している。またその前面には表示領域２ａが形成されている。
【００５０】
非接触充電部８２は充電用コイル８２ａを備えている。充電用コイル８２ａは所定の巻回軸の周りを巻回する導線を有しており、その巻回軸が表示領域２ａに略直交する姿勢で配置されている。
【００５１】
非接触充電器８は例えば略平板状の形状を有しており、その内部に充電器側コイル８ａを備えている。充電器側コイル８ａは所定の巻回軸の周りを巻回する導線を有しており、その巻回軸が非接触充電器８の主面に略直交する姿勢で配置される。非接触充電器８は不図示の電源に接続されており、当該電源を用いて充電器側コイル８ａに電流（例えば交流電流）を流すことができる。これにより、充電器側コイル８ａは磁界（例えば交番磁界）を発生する。
【００５２】
使用者は、充電用コイル８２ａを充電器側コイル８ａに対向させるように、携帯無線端末１を非接触充電器８の主面の上に載置する。図５は携帯無線端末１を非接触充電器８の主面に載置したときのこれらの断面の一例を概念的に示している。この状態において、充電器側コイル８ａから発生した磁束は充電用コイル８２ａに鎖交する。これにより、充電用コイル８２ａには誘導起電力が発生する。つまり、充電用コイル８２ａは充電器側コイル８ａからの磁界を受けたときに、誘導起電力を発生させる。この誘導起電力は交流電圧である。非接触充電部８２は後に述べるように、当該誘導起電力を整流して電池６０を充電する。
【００５３】
以上のように、非接触充電部８２は非接触充電器８との磁気的な接続により電力を受け取って電池６０を充電する。つまりこの充電では、携帯無線端末１と非接触充電器８との電気的な接続を必要としない。よって、このような充電方法は非接触充電またはワイヤレス充電と呼ばれる。或いは電磁誘導を用いて充電が行なわれることから、この充電方法は電磁誘導充電とも呼ばれる。
【００５４】
充電用コイル８２ａが充電器側コイル８ａから受け取る電力の効率（伝送効率）を向上させるために、非接触充電部８２は磁性シート（不図示）を備えていても良い。なおここでいう伝送効率は、充電器側コイル８ａの電力に対する充電用コイル８２ａの電力の比である。磁性シートは空気よりも高い透磁率を有する材料によって形成される。充電用コイル８２ａは、その巻回軸が当該磁性シートに略直交する姿勢で、当該磁性シートの一方の面に設けられる。磁性シートの透磁率は高いので、磁束の量を増大することができる。ひいては充電用コイル８２ａの誘導起電力を増大できる。逆にいえば、充電用コイル８２ａで必要な電圧を発生させるのに要する充電器側コイル８ａの電力を低減できる。なお磁性シートを設けることで、充電用コイル８２ａを通る磁束が外側に漏れることも抑制できる。
【００５５】
図５の例示では、携帯無線端末１の裏面３ｂを非接触充電器８に向けて、携帯無線端末１を非接触充電器８に載置する。よって図４の例示では、充電用コイル８２ａを、携帯無線端末１の筐体３の裏面３ｂ側の部分に貼り付けている。これにより、充電用コイル８２ａを充電器側コイル８ａに近づけることができる。このように充電用コイル８２ａと充電器側コイル８ａとの間の距離を短縮することで、充電用コイル８２ａに有効に鎖交する磁束の量を向上できる。したがって充電用コイル８２ａの誘導起電力の大きさを向上でき、ひいては伝送効率を向上することができる。
【００５６】
また、平面視において、充電用コイル８２ａの中心Ｑ１および充電器側コイル８ａの中心Ｑ２がずれていれば、そのズレ量（距離）に応じて、充電用コイル８２ａに有効に鎖交する磁束の量が低減する。つまり、この距離が長いほど、充電用コイル８２ａに発生する誘導起電力が低減するのである。これにより、伝送効率が低減する。よって、使用者は、平面視において、充電用コイル８２ａの中心Ｑ１と充電器側コイル８ａの中心Ｑ２との間の距離が短くなるように、携帯無線端末１を載置することが望ましい。
【００５７】
なお図４の例示では、充電用コネクタ８４も図示されている。充電用コネクタ８４は携帯無線端末１の例えば側面に設けられている。この充電用コネクタ８４には接触充電器（不図示）が電気的に接続されて、接触充電器から直流電圧が印加される。接触充電器はＡＣ−ＤＣアダプタを有している。ＡＣ−ＤＣアダプタは外部から交流電圧を受け取り、これを適切な直流電圧に変換し、当該直流電圧を充電用コネクタ８４に印加する。
【００５８】
図６は充電部８０と充電検出部７０との具体的な内部構成の一例を示すブロック図である。充電部８０は例えば、充電用コネクタ８４と、非接触充電部８２と、選択部８６と、電流調整部８８とを備えている。非接触充電部８２は充電用コイル８２ａと整流部８２ｂと電圧調整部８２ｃとを備えている。充電用コイル８２ａは上述のように非接触充電器８からの磁界を受けて誘導起電力を発生させる。充電用コイル８２ａからの誘導起電力（交流電圧）は整流部８２ｂに入力される。整流部８２ｂは誘導起電力を整流し、整流後の直流電圧を電圧調整部８２ｃに入力する。電圧調整部８２ｃは例えば定電圧回路であり、安定した直流電圧を出力する。
【００５９】
選択部８６は制御部１０の制御を受けて、充電用コネクタ８４からの電圧および充電用コイル８２ａからの誘導起電力の一方を選択し、当該一方を用いて電池６０を充電する。例えば選択部８６はスイッチであり、充電用コネクタ８４の電圧および非接触充電部８２の出力電圧の一方を選択し、この一方を電流調整部８８に入力する。
【００６０】
電流調整部８８の出力は電池６０に接続されている。電流調整部８８は出力電流を調整して出力する。
【００６１】
充電検出部７０は例えば電圧検出部７２，７４を備えている。電圧検出部７２は非接触充電部８２の出力電圧を検出して、その検出結果を制御部１０へと出力する。電圧検出部７４は充電用コネクタ８４の電圧を検出して、その検出結果を制御部１０へと出力する。非接触充電部８２の出力電圧が電圧基準値よりも大きいときには、非接触充電部８２が非接触充電器８から電力を受け取っていると判定でき、同様に、充電用コネクタ８４の電圧が電圧基準値よりも大きいときには、充電用コネクタ８４が接触充電器から電力を受け取っていると判定できる。
【００６２】
制御部１０は判定部１４とスイッチ制御部１５とを備えている。判定部１４およびスイッチ制御部１５は制御部１０によるプログラムの実行によって形成されてもよく、あるいは、その一部または全部がハードウェアで形成されてもよい。なお制御部１０に備わる、後述する各種機能についても同様であるので、以下においては繰り返しの説明を避ける。
【００６３】
判定部１４は、非接触充電部８２および充電用コネクタ８４の出力電圧がそれぞれ電圧基準値よりも大きいか否かを判定する。スイッチ制御部１５はその判定結果に応じて選択部８６を制御する。具体的には、充電用コネクタ８４の電圧が電圧基準値よりも大きく、非接触充電部８２の出力電圧が電圧基準値よりも小さい場合には、制御部１０は選択部８６を制御して、充電用コネクタ８４の電圧を電流調整部８８へ入力する。つまりこの場合には、非接触充電器８が用いられておらず、接触充電器からの電圧が充電用コネクタ８４に入力されているので、充電用コネクタ８４の電圧を用いて電池６０を充電するのである。
【００６４】
一方で、充電用コネクタ８４の電圧が電圧基準値よりも小さく、非接触充電部８２の出力電圧が電圧基準値よりも大きい場合には、制御部１０は選択部８６を制御して、非接触充電部８２の出力電圧を電流調整部８８へ入力する。つまりこの場合には、接触充電器が用いられておらず、非接触充電器８の上に携帯無線端末１が載置されているので、充電用コイル８２ａの誘導起電力を用いて電池６０を充電するのである。
【００６５】
充電用コネクタ８４の電圧および非接触充電部８２の出力電圧の両方が電圧基準値よりも大きい場合には、制御部１０は選択部８６を制御して、例えば充電用コネクタ８４の電圧を用いて電池６０を充電する。つまり接触充電器および非接触充電器８の両方が用いられている場合には、例えば接触充電器を優先的に採用するのである。
【００６６】
なお非接触充電部８２は非接触充電器８と近接無線通信を行なうことができる。この通信により、非接触充電器８は携帯無線端末１が載置したこと、および、携帯無線端末１が離れたことを了知することができる。また携帯無線端末１が非接触充電器８の上に載置された状態で、接触充電器が充電用コネクタ８４に接続されているときには、非接触充電部８２は非接触充電を終了するための信号を非接触充電器８に送信してもよい。これを受け取った非接触充電器８は、充電器側コイル８ａへの交流電圧の印加を終了する。これにより、非接触充電器８における不要な電力の消費を回避できる。
【００６７】
＜基地局との通信＞
制御部１０は送信信号Ｔｘ１を生成し、無線通信部１１０およびアンテナ１１１を介して送信信号Ｔｘ１を基地局２へと送信する。また制御部１０はアンテナ１１１および無線通信部１１０を介して受信信号Ｒｘ１を受信し、これを解析する。制御部１０は受信信号Ｒｘ１の内容に応じて携帯無線端末１を制御する。
【００６８】
また制御部１０は、図７に例示するように、判定部１４と受信レベル測定部１１と送信レベル決定部１２と最大値設定部１３と受信確認処理部１７とを備えている。判定部１４は上述の通りである。
【００６９】
受信レベル測定部１１は受信信号Ｒｘ１を入力し、その受信レベルを測定する。送信レベル決定部１２は受信信号Ｒｘ１の受信レベルに基づいて、送信信号Ｔｘ１の送信レベルの初期値を決定する。より具体的には、受信信号Ｒｘ１の受信レベルが小さいほど、送信信号Ｔｘ１の送信レベルの初期値をより大きく決定する。これは以下の理由に依る。
【００７０】
即ち、受信信号Ｒｘ１の受信レベルが小さいことは、基地局２で送信された送信信号Ｔｘ２が携帯無線端末１に届くまでに、大きな電力を失ったことを意味する。よってこの通信状態において、携帯無線端末１が送信信号Ｔｘ１を基地局２へと適切に届かせるためには、より大きい送信レベルで送信する必要がある。したがって、送信レベル決定部１２は受信信号Ｒｘ１の受信レベルが小さいほど、送信信号Ｔｘ１の送信レベルの初期値を大きく決定しているのである。
【００７１】
逆にいえば、受信信号Ｒｘ１の受信レベルが大きいときには、送信レベルが小さくても、送信信号Ｔｘ１を基地局２へと適切に届かせることができる。よって受信レベルが大きいほど送信レベルの初期値を小さく決定することで、不要な送信レベルでの送信信号Ｔｘ１の送信を回避でき、携帯無線端末１の消費電力を低減しているのである。
【００７２】
表１は、受信信号Ｒｘ１の受信レベルと、送信信号Ｔｘ１の送信レベルの初期値との対応関係の一例を示している。表１において、受信レベルが大きいほど送信レベルの初期値が小さい。
【００７３】
【表１】
2015208093.tif 000003
【００７４】
このテーブルは記憶部（例えば記憶部１０３）に予め記憶されていても良い。送信レベル決定部１２は、記憶部に格納されたテーブルと、受信レベル測定部１１によって測定された受信レベルとに基づいて、送信レベルの初期値を決定する。なおこのテーブルにおいて受信レベルの値が存在しない領域では、適宜に補間処理を行なって送信レベルの初期値を決定すればよい。
【００７５】
一方で上述のように、基地局２から要求信号（送信レベルの増大を要求する信号）ＰＲ１が送信されることがある。送信レベル決定部１２は要求信号ＰＲ１に応じて送信レベルを増大させる。図８は基地局２からの要求信号ＰＲ１に応じた送信レベルの決定動作の一例を示すフローチャートである。
【００７６】
図８に示すように、まずステップＳ１０において、制御部１０は要求信号ＰＲ１を受信したか否かを判定する。要求信号ＰＲ１を受信していないと判定したときには、ステップＳ１０を再び実行する。ステップＳ１０にて要求信号ＰＲ１が含まれていると判定したときには、ステップＳ１１において、送信レベル決定部１２はこの要求信号ＰＲ１に応じて送信レベルを増大させる。例えば表１において、受信信号Ｒｘ１の受信レベルが−９７［ｄＢｍ］であるときには初期的には送信信号Ｔｘ１の送信レベルを１７［ｄＢｍ］に決定するところ、要求信号ＰＲ１を受信した場合には、これに応じて送信レベルを例えば１［ｄＢｍ］だけ増大させる。或いは、もし送信レベルの増大量についての情報が要求信号ＰＲ１に含まれている場合には、送信レベル決定部１２はその増大量の分、送信レベルを増大させる。
【００７７】
次に、ステップＳ１２において、送信レベル決定部１２は増大した送信レベルが最大値を超えているか否かを判定する。送信レベルが最大値を超えているときには、ステップＳ１３において、送信レベル決定部１２は送信レベルを最大値に制限し、処理を終了する。ステップＳ１２において送信レベルが最大値以下であるときには、そのまま処理を終了する。
【００７８】
つまり、送信レベル決定部１２は、送信レベルが最大値以下となる範囲内で、要求信号ＰＲ１に応じて送信レベルを増大させるのである。
【００７９】
最大値設定部１３は送信レベルの最大値を設定する。より具体的には、非接触充電が行われているか否かに基づいて、送信レベルの最大値を設定する。非接触充電が行われているか否かは、判定部１４の判定結果に基づいて判定される。
【００８０】
非接触充電が行われていないときには、送信レベルの最大値を次のように設定する。すなわち、表１を参照して、受信レベルの最小値に対応する送信レベルの初期値以上の値に最大値を設定する。表１の例示では、受信レベルの最小値を−１０４［ｄＢｍ］に設定しており、このとき送信レベルの初期値は２４［ｄＢｍ］である。よって非接触充電が行われていないときの最大値はこの２４［ｄＢｍ］以上に設定される。
【００８１】
図９は最大値設定部１３の動作の一例を示すフローチャートである。ステップＳ２０において、最大値設定部１３は、非接触充電が行われているか否かを判定する。非接触充電が行われていないと判定したときには、ステップＳ２０を再び実行する。ステップＳ２０にて非接触充電が行われていると判定したときには、ステップＳ２１にて、最大値設定部１３は送信レベルの最大値を低減して設定する。つまり非接触充電時の送信レベルの最大値として、非接触充電が行われていないときの送信レベルの最大値よりも小さい値を採用する。例えば最大値設定部１３は送信レベルの最大値を２１［ｄＢｍ］に設定する。
【００８２】
次にステップＳ２２において最大値設定部１３は非接触充電が終了したか否かを判定する。この判定も、判定部１４の判定結果に基づいて行なうことができる。非接触充電が終了していないと判定したときには、再びステップＳ２２を実行する。非接触充電が終了したと判定したときには、ステップＳ２３において最大値設定部１３は送信レベルの最大値を元の値（例えば２４［ｄＢｍ］）に戻す。
【００８３】
以上のように、最大値設定部１３は、非接触充電が行われているときの送信レベルの最大値を、非接触充電が行われていないときの送信レベルの最大値よりも小さく設定する。この技術的な意義を述べるに際して、まず非接触充電中の通信の一例について述べる。
【００８４】
＜非接触充電における受信確認動作＞
例えば制御部１０は、受信確認処理部１７を備えている（図７参照）。受信確認処理部１７は、基地局２からの通信があるか無いかを確認する受信確認動作を、所定時間（例えば５秒）毎に行なう。つまり受信確認動作を間欠的に繰り返し行なう。所定期間の計時は周知のタイマー回路を用いて行なうことができる。この受信確認動作は、電池６０を充電するときにも行われる。よって非接触充電中においても、受信確認動作が行なわれる。
【００８５】
受信確認動作は携帯無線端末１と基地局２との間のルールに則って行なわれればよいものの、例えば次のように行なってよい。すなわち、受信確認処理部１７は確認信号を送信し、この確認信号を受け取った基地局２は、携帯無線端末１へと送信すべき信号（例えば他の携帯無線端末１からの通話用の着信信号、電子メールなど）があるか否かを確認し、その確認結果を送信する。受信確認処理部１７は確認結果を受け取ると、当該確認結果に応じた制御を行なう機能部へとその旨を通知する。例えば、通話相手の携帯無線端末１からの通話用の着信信号を受け取ると、通話処理部（後述）へとこれを通知する。通話処理部は基地局２に対して当該着信信号を受け取ったことを送信するとともに、使用者に対して着信を報知する。例えばスピーカー１８０からの着信音などにより使用者に報知する。
【００８６】
以上のように、携帯無線端末１は非接触充電中においても基地局２と通信を行なう。
【００８７】
＜非接触充電時の受信感度＞
非接触充電が行われるときには、上述のように非接触充電器８の充電器側コイル８ａに交流電圧が印加されて交流電流が流れる。よって非接触充電器８は電波ＣＷ１を生じさせることとなる。この電波ＣＷ１は、例えば充電器側コイル８ａに流れる交流電流の周波数を基本波成分とした電磁波であり、高次の周波数成分を含む。
【００８８】
電波ＣＷ１が、送信信号Ｔｘ１の周波数と受信信号Ｒｘ１の周波数との差とほぼ一致する周波数成分を含む場合、この周波数成分と送信信号Ｔｘ１との相互変調歪みにより、受信信号Ｒｘ１に対する妨害波が生じる。
【００８９】
例えば送信信号Ｔｘ１および受信信号Ｒｘ１の周波数帯域が１９００ＭＨｚ帯（送信帯域が1851.25〜1908.75[MHz]、受信帯域が1931.25-1988.75[MHz]）であり、充電器側コイル８ａの交流電圧の周波数が例えば２００［ｋＨｚ］である場合について考慮する。この周波数帯域は例えばＣＤＭＡ(Code Division Multiple Access)２０００によって規定されている。
【００９０】
非接触充電器８は、例えば２００［ｋＨｚ］を基本波成分とした電波ＣＷ１を発生させ、その高次の周波数成分として、８０［ＭＨｚ］の周波数成分を含む。１９００ＭＨｚ帯域において、送信信号Ｔｘ１と受信信号Ｒｘ１と周波数の差は約８０［ＭＨｚ］であるので、このとき、受信信号Ｒｘ１に対する妨害波が生じる。これにより、携帯無線端末１の受信感度は劣化する。
【００９１】
なおここでいう受信感度とは、受信信号Ｒｘ１を適切に解析するために必要な受信レベルである。例えば受信信号のビットエラーレートが基準値（例えば０．５％）となるときの受信レベルである。受信信号Ｒｘ１の解析に必要な受信レベルが小さいほど、受信信号Ｒｘ１を受信しやすいので、このとき、受信感度は優れていることとなる。
【００９２】
＜送信レベルの最大値＞
さて、通信を行う際には、基地局２は携帯無線端末１へと送信レベルの増大を要求することがある。これは既に述べたとおりであり、非接触充電中であっても通信の際に行われることがある。よって非接触充電中に、送信レベル決定部１２が基地局２からの要求信号ＰＲ１に応じて送信レベルを増大させることがある。この場合、送信レベルの増大に応じて携帯無線端末１の受信感度が劣化する。ある程度まで受信感度が劣化すると、携帯無線端末１は基地局２からの受信信号Ｒｘ１を適切に受信（解析）できなくなり得る。
【００９３】
例えば表１によれば、受信信号Ｒｘ１の受信レベルが−９９［ｄＢｍ］であるとき、送信信号Ｔｘ１の送信レベルの初期値は１９［ｄＢｍ］に決定される。ここで、一例として、このときの受信感度が例えば−１０１［ｄＢｍ］である場合を想定する。この状況では、受信信号Ｒｘ１の受信レベル（−９９［ｄＢｍ］）が受信感度（−１０１［ｄＢｍ］）よりも大きいので、受信信号Ｒｘ１を適切に解析できる。
【００９４】
そして、基地局２が要求信号ＰＲ１を送信すると、送信レベル決定部１２は送信レベルを１９［ｄＢｍ］よりも大きい値に決定する。これにより、受信感度が劣化する。もし、この送信レベルの増大に伴って受信感度が−９９［ｄＢｍ］を超えると、受信信号Ｒｘ１を適切に解析できなくなる。つまり、送信レベルの増大によってある程度の受信感度の劣化は許容できるものの、必要な受信感度よりも劣化することは避けたい。
【００９５】
そこで、非接触充電中の送信レベルの最大値を、非接触充電が行われていないときの送信レベルの最大値よりも小さく設定するのである。これにより、受信感度がある程度以上に劣化することを回避できる。よって受信感度が受信レベルを超える可能性を低減でき、ひいては受信信号Ｒｘ１の適切な受信（解析）に資するのである。
【００９６】
以下に、より詳細な一例を説明する。非接触充電が行われていないときの送信レベルの最大値は、例えば受信レベルが最小となるときの送信レベル（２４［ｄＢｍ］）以上であり、ここでは２４［ｄＢｍ］であると仮定する（表１）。
【００９７】
以下に、より詳細な一例を説明する。非接触充電が行われていないときの送信レベルの最大値は、例えば受信レベルが最小となるときの送信レベル（２４［ｄＢｍ］）以上であり、ここでは２４［ｄＢｍ］である（表１）。
【００９８】
さて、非接触充電が行われると受信感度は劣化する。しかも送信レベルが増大するほど受信感度が劣化する。図１０は、表１の関係（受信レベルと送信レベルの初期値との関係）、および、非接触充電中の送信レベルと受信感度との関係の一例を模式的に示す図である。グラフＧ１は前者の関係を示し、グラフＧ２は後者の関係を示す。図１０では、横軸が送信レベルを表し、縦軸が受信感度および受信レベルを表している。
【００９９】
図１０の例示では、非接触充電中において、送信レベルが２１［ｄＢｍ］のときに受信感度が−９８［ｄＢｍ］である（点Ｐ３）。なお図１０では図示されないが、送信レベルがほぼ零であるときの受信感度（つまり受信感度の最小値）は、表１の受信レベルの最小値（−１０４［ｄＢｍ］）よりも大きく、例えば−１０２［ｄＢｍ］である。また表１の受信レベルの最小値とは、例えば非接触充電が行われていないときに携帯無線端末１が適切に受信できる最小値であり、仕様によって決定される。
【０１００】
さて、非接触充電中に携帯無線端末１が基地局２から受信レベル−９８［ｄＢｍ］の受信信号Ｒｘ１を受信した場合を想定する。受信レベル測定部１１はこの受信レベルを測定する。そして、送信レベル決定部１２は、表１に則り、受信レベルに応じて送信レベルの初期値を１８［ｄＢｍ］に決定する（図１０の点Ｐ１参照）。
【０１０１】
送信レベルが１８［ｄＢｍ］の場合には受信感度は−９８［ｄＢｍ］よりも小さく、例えば−９９．５［ｄＢｍ］である（図１０の点Ｐ２参照）。つまり、送信レベルが１８［ｄＢｍ］であるときには、受信信号Ｒｘ１の受信レベル（−９８［ｄＢｍ］）が受信感度（−９９．５［ｄＢｍ］）よりも大きくなり、携帯無線端末１は適切に受信信号Ｒｘ１を解析できる。
【０１０２】
この状態で、携帯無線端末１が基地局２からの要求信号ＰＲ１を受信すると、送信レベル決定部１２は送信レベルを１８［ｄＢｍ］よりも大きく設定する。例えば送信レベルを２１［ｄＢｍ］に決定すると、受信感度は−９８［ｄＢｍ］となる（図１０の点Ｐ３参照）。よって送信レベルを２１［ｄＢｍ］よりも大きく決定すると、受信感度が受信レベル（−９８［ｄＢｍ］）よりも大きくなる。このとき、携帯無線端末１は適切に受信信号Ｒｘ１を解析することが難しい。
【０１０３】
そこで、最大値設定部１３は非接触充電中においては、送信レベルの最大値を、非接触充電が行われていないときの最大値（２４［ｄＢｍ］）よりも小さい値（ここでは２１［ｄＢｍ］）に設定する。これにより、受信感度が受信レベルよりも大きくなることを回避でき、適切に受信信号Ｒｘ１を受信することができる。
【０１０４】
以上のように、送信レベル決定部１２が基地局２からの要求信号ＰＲ１に応じて送信レベルを増大させることによって、受信感度が劣化するところ、最大値設定部１３が送信レベルの最大値を小さく設定することで、受信感度のある一定以上の劣化を回避するのである。
【０１０５】
なお送信レベルの最大値は予め決められていてもよく、或いは、受信レベル測定部１１によって測定された受信レベルに基づいて決定されてもよい。なぜなら、受信レベルが大きければ、受信感度が劣っていても適切に受信信号Ｒｘ１を受信しえる。つまり受信レベルが大きいほど、送信レベルの増大に伴う受信感度の劣化が許容される。よって、受信信号Ｒｘ１の受信レベルが大きいほど、送信レベルの最大値をより大きく設定してもよい。逆に言えば、受信レベルが小さいほど送信レベルの最大値を小さく設定してもよい。
【０１０６】
測定された受信レベル（例えば−９８［ｄＢｍ］）と一致する、或いはこれよりも小さい受信感度を与える送信レベル（例えば２１［ｄＢｍ］）を、送信レベルの最大値とすればよい。これにより、受信信号Ｒｘ１を適切に受信することができる。
【０１０７】
このような受信レベルと送信レベルの最大値との関係は、例えば予め決められて記憶部（例えば記憶部１０３）に記憶されていれば良い。
【０１０８】
次に図１１のタイミングチャートを参照して制御部１０の動作の一例を説明する。なお図１１のタイミングチャートでは、後に詳述するように通話が行なわれる。よって、まず通話に関する動作の一例について簡単に説明する。図１２に示すように、制御部１０は通話処理部１８と表示制御部１９とを備えている。表示制御部１９は表示装置２０の表示を制御する。
【０１０９】
通話処理部１８は例えば使用者の操作に基づいて、通話画面を表示するように表示制御部１９に指示する。表示制御部１９は通話画面を適宜に表示装置２０に表示する。この通話画面には、通話相手を選択するための選択ボタン、電話番号を入力するための入力ボタン、通話相手の携帯無線端末１に発呼するための発呼ボタン、通話相手からの着信に対して応答するための応答ボタン、通話を終了するための終了ボタン、等が適宜に配置される。これらのボタンに対する操作は、タッチパネル３０によって検出される。
【０１１０】
使用者が通話相手を選択して発呼ボタンを操作すると、通話処理部１８は基地局２を介して通話相手の携帯無線端末１へと発呼信号を送信する。通話相手の携帯無線端末１は、当該発呼信号を着信信号として受信する。そして通話相手が応答すると、通話処理部１８は基地局２を介して通話相手の携帯無線端末１から応答信号を受信し、使用者と通話相手との携帯無線端末１においてコネクションを確立する。また逆に、通話相手からの発呼信号を着信信号として受信すると、受信確認処理部１７がこれを通話処理部１８へと通知する。通話処理部１８は着信があったことを例えば着信音等により使用者に報知する。そして使用者が応答ボタンを操作すると、その旨を通話相手の携帯無線端末１に送信して、コネクションを確立させる。
【０１１１】
通話処理部１８は、通話相手の携帯無線端末１から音声信号を受信し、これを例えば圧電振動素子１９０を介して使用者に出力する一方で、マイク１５０を介して使用者から音声を入力し、これを通話相手の携帯無線端末１へと送信する。また、使用者が終了ボタンを操作すると、通話処理部１８はこれを通話相手の携帯無線端末１に送信するとともに、コネクションを開放して通話を終了する。通話相手の携帯無線端末１から通話の終了信号が送信されたときにも、通話処理部１８はコネクションを開放して通話を終了する。
【０１１２】
また、通話処理部１８はハンズフリー通話を行なうことができる。例えば表示制御部１９はハンズフリー通話を行なうか否かを入力可能なボタンを表示する。使用者が当該ボタンを操作すると、通話処理部１８は通話相手の携帯無線端末１からの音声信号を、スピーカー１８０から比較的大きな音量で出力し、またマイク１５０の感度を高めて、比較的離れた使用者からの音声を入力する。これにより、使用者は携帯無線端末１から離れた位置で通話を行なうことができる。よって、携帯無線端末１を非接触充電器８に載置した状態で、通話を行なうことができる。
【０１１３】
或いは、近接無線通信可能なヘッドセット４を用いてハンズフリー通話を行なってもよい。例えば使用者は、このヘッドセット４を用いた通話を行なうか否かの設定を携帯無線端末１に対して行う。このヘッドセット４は使用者に装着される。そして通話相手からの着信があったときに、使用者はヘッドセット４に設けられた通話応答用のボタンを操作する。これにより、ヘッドセット４は携帯無線端末１へと応答信号を送信する。通話処理部１８は近接無線通信部９０を介して当該応答信号を受信すると、通話相手の携帯無線端末１へと応答信号を送信し、通話を開始する。通話処理部１８は通話相手の携帯無線端末１から音声信号を受信して、これをヘッドセット４へと送信する。また使用者からの音声信号をヘッドセット４から受信して、これを他の携帯無線端末１へと送信する。これにより、通話を行なうことができる。使用者はヘッドセット４を装着して通話を行なうので、携帯無線端末１を非接触充電器８の載置した状態で通話を行なうことができる。
【０１１４】
図１１のタイミングチャートでは、各動作が行なわれた状態を信号の活性状態で示し、各動作が行なわれていない状態を信号の非活性状態で示している。例えば「載置」とは携帯無線端末１を非接触充電器８に載置した状態であり、時点ｔ１において使用者が携帯無線端末１を非接触充電器８に載置したことを、時点ｔ１における信号の非活性状態から活性状態への遷移で示している。
【０１１５】
次に、時点ｔ２において、非接触充電器８は充電器側コイル８ａに交流電圧を印加し始める。時点ｔ１，ｔ２の間の期間は、非接触充電器８が携帯無線端末１の載置を了知するのに要する期間である。時点ｔ２において充電器側コイル８ａの磁束が充電用コイル８２ａに鎖交し、充電用コイル８２ａの誘導起電力により、電池６０が充電される。つまり、非接触充電が開始する。
【０１１６】
次に、時点ｔ３において、通話相手の携帯無線端末１が通話のための発呼信号を基地局２に送信する。図１１で示す「発呼通話」とは、発呼者にとっての通話であり、発呼信号の送信から通話終了まで動作である。基地局２は発呼信号を受け取り、これを着信信号として携帯無線端末１へと送信する。
【０１１７】
時点ｔ４において、通話処理部１８は基地局２からの着信信号を受信し、基地局２へと着信信号を受信した旨を応答する。このとき、通話処理部１８は着信信号を受信した旨を送信レベル決定部１２に通知する。非接触充電中に当該通知を受けた送信レベル決定部１２は、送信信号Ｔｘ１の送信レベルの最大値を低減する。つまり図１１の例示では、非接触充電において通話を開始するときに、送信レベルの最大値を低減している。
【０１１８】
なお図１１の例示とは異なって、最大値設定部１３は非接触充電の開始（時点ｔ２）において、送信レベルの最大値を低減してもよい。
【０１１９】
次に時点ｔ５において、携帯無線端末１は着信があったことを使用者に報知する。例えば着信音などにより報知する。次に時点ｔ６において、使用者が携帯無線端末１を非接触充電器８から持ち上げて、応答ボタンを操作する。図１１で示す「応答通話」とは、使用者が応答ボタンを操作してから通話の終了までの動作である。
【０１２０】
図１１の例示では時点ｔ６において、「載置」、「非接触充電」、「最大値低下」および「報知」が非活性に遷移する。つまり、携帯無線端末１が非接触充電器８から離れて非接触充電が終了するので、「載置」および「非接触充電」が非活性に遷移し、また非接触充電の終了により送信レベルの最大値を元に戻すので、「最大値低下」が非活性に遷移する。また通話に応答するので着信の報知も終了させる（「報知」が非活性に遷移する）。
【０１２１】
このとき非接触充電なしに通話を行うので、非接触充電に伴う受信感度の劣化が生じずに、適切に通信（通話）を行なうことができる。
【０１２２】
次に時点ｔ７において通話が終了し、時点ｔ８において、再び使用者は携帯無線端末１を非接触充電器８に載置する。時点ｔ９において非接触充電が開始され、時点ｔ１０において通話相手の携帯無線端末１が発呼信号を送信する。次に時点ｔ１１において、通話処理部１８は基地局２に応答信号を送信するとともに、最大値設定部１３は送信レベルの最大値を低減させる。次に時点ｔ１２において、着信を使用者に報知する。なお図１１の例示とは異なって、最大値設定部１３は非接触充電の開始（時点ｔ９）において、送信レベルの最大値を低減してもよい。
【０１２３】
次に、時点ｔ１３において、使用者は、非接触充電を行った状態で通話に応答する。このような応答は、例えばハンズフリー通話（ヘッドセット４を用いた通話を含む）により行なうことができる。
【０１２４】
非接触充電が行われつつ通話が行なわれる期間（時点ｔ１３から時点ｔ１４）では、送信レベルの最大値は低減したままである。これにより適切に受信信号Ｒｘ１を受信することができ、良好な通話に寄与する。そして、時点ｔ１４において通話が終了すると、最大値設定部１３は送信レベルの最大値を元に戻す。
【０１２５】
なお、図１１の例示では、通話の終了を契機として送信レベルの最大値を元に戻しているが、通話が終了しても非接触充電が行われるときには、送信レベルの最大値を低減させたままでもよい。そして、非接触充電の終了を契機として送信レベルの最大値を元に戻しても良い。これによって、非接触充電中に受信確認動作を行う際に、より適切な受信感度で受信信号Ｒｘ１を受信できる。
【０１２６】
第２の実施の形態．
第２の実施の形態では、非接触充電を行うときに電池６０へと流れる充電電流を調整する。図１３の例示では、図６に例示する構成と比較して、電流検出部７６が更に設けられている。電流検出部７６は非接触充電における充電電流を検出する。より具体的には、電流検出部７６は例えば充電部８０から出力される電流を検出する。
【０１２７】
制御部１０は電流制御部１６を更に備えている。電流制御部１６は電流検出部７６によって検出される電流を入力し、この電流が所望の値に近づくように、電流調整部８８を制御する制御信号を出力する。
【０１２８】
図１４は、非接触充電における充電電流と、非接触充電中の受信感度との関係の一例を模式的に示すグラフである。ここでは送信レベルは一定である。図１４の例示では、周波数帯域を異ならせたときの、３つのグラフが示されている。グラフ１ａ〜１ｃは１９００Ｈｚ帯域のうち低帯域、中帯域および高帯域での関係をそれぞれ示している。
【０１２９】
図１４から理解できるように、充電電流が零から２００［ｍＡ］までの小さい領域ＩＲ１においては、充電電流の増大に伴って受信感度は増大する。つまり受信感度が劣化する。この領域ＩＲ１を超えてさらに充電電流が増大すると、受信感度は充電電流に対して単調非増加で低減する（領域ＩＲ２）。さらに充電電流が増大すると受信感度は充電電流に対して単調非減少で増大する（領域ＩＲ３）。
【０１３０】
このように非接触充電における受信感度は充電電流にも依存する。図１４の例示では、受信感度についての極小値が存在している。つまり優れた受信感度を与える極値が存在する。
【０１３１】
さて、受信信号Ｒｘ１の受信レベルが比較的大きいときには、受信感度が劣っていても受信信号Ｒｘ１を適切に受信できる。他方、受信信号Ｒｘ１の受信レベルが小さいと、より優れた受信感度が必要となる。
【０１３２】
そこで、電流制御部１６は、受信レベル測定部１１によって測定された受信レベルと基準値との大小関係に基づいて充電電流を決定する。図１５は制御部１０の動作の一例を示すフローチャートである。まずステップＳ３０において、電流制御部１６は非接触充電が行われているか否かを判定する。この判定は判定部１４の判定結果に基づいて行われる。非接触充電が行われていないと判定したときにはステップＳ３０が再び実行される。非接触充電が行われていると判定されたときには、ステップＳ３１において、電流制御部１６は、受信レベル測定部１１によって測定された受信レベルが基準値（例えば−９７［ｄＢｍ］）よりも大きいか否かを判定する。
【０１３３】
受信レベルが基準値よりも大きいと判定したときには、ステップＳ３２において充電電流を例えば比較的大きな第１電流値で制御する。つまり、受信レベルが大きいときには、優れた受信感度は必要とされないので、受信感度を考慮せずに第１電流値で充電電流を制御する。具体的な第１電流値は、例えば充電時間および各部の電流許容値などを考慮して決定される。ここでは一例として、受信感度が極値を採るときの電流値（例えば５００ｍＡ）よりも大きく、電流の増大に伴って受信感度が劣化する領域ＩＲ３から、第１電流値を決定する。例えば充電電流として領域ＩＲ３の最大値９００ｍＡを採用する。この第１電流値は例えば予め定められて記憶部（例えば記憶部１０３）に格納されている。電流制御部１６は電流検出部７６によって検出された電流が第１電流値（例えば９００ｍＡ）に近づくように、電流調整部８８を制御する。
【０１３４】
他方、ステップＳ３１において、測定された受信レベルが基準値よりも小さいと判定されたときには、ステップＳ３３において、電流制御部１６は受信感度がステップＳ３２における受信感度より向上するように充電電流を第２電流値で制御する。図１４を参照して、第２電流値としては、例えば受信感度の極値を与える電流値（例えば５００ｍＡ）を採用する。これにより、ステップＳ３２における受信感度よりも優れた受信感度で、受信信号Ｒｘ１を受信できる。この第２電流値も例えば予めされて記憶部（例えば記憶部１０３）に格納されている。
【０１３５】
ステップＳ３２またはステップＳ３３の次に、ステップＳ３４において電流制御部１６は非接触充電が終了した否かを判定する。非接触充電が終了していないと判定されたときには再びステップＳ３１を実行する。このようにステップＳ３１〜Ｓ３３を再び実行するのは、受信レベルが通信状態によって変動すること（いわゆるフェージング）を考慮した処理である。つまり非接触充電中に受信レベルが変動しえるので、ステップＳ３１〜Ｓ３３を繰り返し実行して、受信レベルの変動に応じて充電電流を制御するのである。他方、ステップＳ３４において非接触充電が終了したと判定したときには、電流制御部１６は電流調整部８８の動作を終了させる。
【０１３６】
以上のように、第２の実施の形態では、受信信号Ｒｘ１の受信レベルが大きく、優れた受信感度が要求されない場合には、受信感度よりも充電を優先して充電電流を第１電流値に決定する。一方で、受信信号Ｒｘ１の受信レベルが小さく、優れた受信感度が要求される場合には、受信感度が第１電流値での受信感度よりも向上するように、充電電流を調整する（第２電流値に決定する）のである。つまり、電流調整部８８は、電流制御部１６の制御を受けて、受信レベルが基準値よりも小さいときに、受信感度が、受信レベルが前記基準値よりも大きいときの受信感度よりも向上するように、充電用コイル８２ｃから電池６０へと流れる充電電流を調整する。これにより、受信レベルが小さいときでも受信信号Ｒｘ１を適切に受信しやすい。
【０１３７】
また上述の例では、受信レベルが基準値よりも大きいときの第１電流値として、受信感度が基準値よりも小さいときの第２電流値よりも、大きい値を採用している。したがって、受信レベルが基準値よりも大きいときの充電時間を短縮できる。
【０１３８】
また上述の例では、受信レベルが基準値よりも小さいときでも、充電電流を零にしているわけではないので、このときであっても非接触充電を継続することができる。
【０１３９】
ただし、上述の例とは異なって、受信レベルが基準値よりも小さいときに、充電電流を零にしてもよい。つまり受信レベルが小さいときには非接触充電を中断しても構わない。この中断は、例えば電流調整部８８の動作を停止させることによって行なってもよく、あるいは非接触充電器８へと動作の中断を送信し、非接触充電器８が動作を中断することで、非接触充電を中断してもよい。図１４の例示では、極値での受信感度よりも、充電電流が零であるときの受信感度のほうが小さいので、受信レベルが基準値よりも小さいときには、最も優れた受信感度で受信信号Ｒｘ１を受信することができる。ただし、このとき充電は行われない。つまり充電を犠牲にして受信信号Ｒｘ１の適切な受信を優先しているのである。
【０１４０】
また受信レベルは通信状態によって変動するので、基準値にヒステリシスを持たせても良い。即ち、受信レベルが第１基準値よりも大きいときには、充電電流として第１電流値（例えば９００ｍＡ）を採用し、受信レベルが第２基準値（＜第１基準値）よりも小さいときには、受信感度を向上する第２電流値（例えば５００ｍＡ）を採用する。これにより、受信レベルが第１基準値と第２基準値との間の範囲で変動したとしても、この変動に起因して充電電流が切り替わることを抑制できる。
【０１４１】
また、受信レベルが基準値よりも小さいときに、電流制御部１６は受信レベルに応じて充電電流を制御しても構わない。より具体的には、受信レベル測定部１１によって測定された受信レベルと一致する、或いは、この受信レベルよりも小さい受信感度を与える電流値を、第２電流値として採用する。例えばグラフ１ｂにおいて、受信レベルが−９８［ｄＢｍ］であるときには第２電流値として８００［ｍＡ］（受信感度−９８．５［ｄＢｍ］）を採用し、受信レベルが−９９［ｄＢｍ］であるときには第２電流値として７００［ｍＡ］（受信感度−９９［ｄＢｍ］）を採用する。受信レベルに応じた電流値は例えば予め記憶部（記憶部１０３）に格納される。
【０１４２】
これによっても受信信号Ｒｘ１を適切に受信することができる。しかも、受信レベルに応じて第２電流値を決定しているので、必要以上の受信感度を与える小さな電流値を採用する必要がない。したがって、第２電流値の選択性を向上でき、受信レベルに応じて比較的大きな第２電流値を採用することができる。これにより充電時間を短縮できる。
【０１４３】
＜受信確認動作＞
上述のように、非接触充電が行われているときにも、受信確認動作が間欠的に行なわれる。受信確認動作は間欠的に行なわれるので、通信を行なわない期間が存在する。そこで(i)この通信を行なわない期間においては、電流制御部１６は充電電流を比較的大きな電流値（例えば第１電流値、９００ｍＡ）で電流調整部８８を制御してもよい。なぜなら、通信を行なわない場合には、受信感度が劣化しても構わないからである。
【０１４４】
一方で、非接触充電中の受信確認動作においては、受信レベルおよび受信感度を考慮して充電電流を決定するとよい。しかしながら、この受信確認動作に費やされる期間は例えば数十ｍｓ程度と短い。よって、受信レベルと基準値との大小関係に応じた充電電流の決定を、当該期間内に行うことが難しい場合がある。この場合、(ii)受信確認動作においては受信レベルが基準値よりも大きいか否かに関わらず、第２電流値（例えば５００ｍＡ）を採用してもよい。
【０１４５】
(ii)の動作は具体的には例えば次のようにして実行される。受信確認処理部１７は受信確認動作を開始すること、および、受信確認動作を終了することを、電流制御部１６に通知する。また着信信号の受信があったときにもこれを電流制御部１６に通知する。電流制御部１６は、受信確認動作の開始から、終了（或いは着信信号の受信）までの期間において、第２電流値で充電電流を制御する。これにより、受信信号Ｒｘ１の受信レベルが不明な受信確認動作中においても、優れた受信感度で受信確認動作を行なうことができ、受信信号Ｒｘ１を適切に受信しやすい。
【０１４６】
一方で、受信確認動作において受信確認処理部１７が着信信号を受信したと判定したときには、通話処理部１８が通話処理を開始する。より具体的には使用者への報知（着信音または振動による報知）を行ない、使用者が応答すれば、通話を開始する。この通話処理を行なう期間は受信確認動作に比して長いので、(iii)この通話期間において、電流制御部１６は受信レベルと基準値との大小関係に応じた充電電流の決定を行なってもよい。なお使用者が通話相手を選択して発呼ボタンを操作して通話処理を開始したときにも、その通話期間において、電流制御部１６は受信レベルと基準値との大小関係に応じた充電電流の決定を行なう。
【０１４７】
図１６は制御部１０の動作の一例を示すタイミングチャートである。図１１との相違点として、「受信レベルと基準値との大小関係に応じた充電電流の決定」の有無が示されている。図１１の例示では、受信レベルと基準値との大小関係に応じて充電電流の値を決定する場合には、信号が活性状態で示され、予め決められた値を採用する場合には、信号が不活性状態で示されている。
【０１４８】
図１６の例示では、非接触充電が行われた状態での通話期間（時点ｔ４から時点ｔ６までの期間、および、時点ｔ１１から時点ｔ１４までの期間）において、受信レベルと基準値との大小関係に応じて充電電流の値が決定される。その一方で他の期間では、充電電流として予め決められた値を採用する。より具体的には、上述のように、(i)通信が行なわれていないときには第２電流値を採用し、(ii)受信確認動作において第２電流値を採用する。
【０１４９】
纏めると、非接触充電において次のように充電電流を制御しても良い。(i)通信を行なっていない期間では第１電流値を採用し、(ii)受信確認動作（着信信号なし）の期間では第２電流値を採用し、(iii)通話期間においては、受信レベルと基準値との大小関係に応じて充電電流の電流値を決定する。
【０１５０】
なお図１３の例示では、電流制御部１６は、電流検出部７６によって検出された電流を入力し、これが所望の値に近づくように電流調整部８８を制御している。つまり、電流をフィードバックして制御している。しかるに、必ずしもフィードバック制御を行なう必要はなく、フィードフォワード制御を行なってもよい。この場合、電流検出部７６は不要である。
【０１５１】
＜第１の実施の形態と第２の実施の形態との組み合わせの一例＞
図２３は、送信レベルの最大値の制御および充電電流の制御と、その条件の一例とを示している。図２３の例示では、周波数帯域が８００ＭＨｚである場合には、送信レベルの最大値を低減させる制御を行わない。つまり、ここでは、８００ＭＨｚ帯において、受信感度と送信レベルとの相関関係が小さい場合を想定している。
【０１５２】
また、周波数帯域が８００ＭＨｚである場合には、受信確認動作おいて、受信信号Ｒｘ１の受信レベルの大小に依らずに、非接触充電を停止させる。つまり、充電電流を零とする。これにより、より優れた受信感度で受信確認動作を行うことができる。
【０１５３】
一方で、通信中においては、受信レベルが基準値よりも大きいか小さいか否かによって、充電電流の大きさを異ならせる。より具体的には、受信レベルが基準値よりも大きいときには、受信感度に無関係に決定した充電電流（例えば９００ｍＡ）で非接触充電を行う。他方、受信レベルが基準値より小さいときには、非接触充電を停止させる。
【０１５４】
このように、通信中における受信レベルが十分に高いときには、受信感度が要求されないので、通常の電流値で非接触充電を行い、受信レベルが小さいときには、受信感度を優先して、非接触充電を停止させるのである。
【０１５５】
なおここでは、８００ＭＨｚ帯域において、図１８のように、受信感度が充電電流に対してステップ状に劣化する場合を想定している。よって、ここでは受信でレベルが小さいときに、充電電流を零にしているのである。
【０１５６】
以上のように、受信確認動作では受信レベルの大小に依らずに充電を停止させ、通信中においては、受信レベルの大小に応じて充電電流を異ならせている。これは、受信確認動作に要する期間は短いことに依る。つまり、受信レベルの大小を判別するのに十分な期間がないので、受信確認動作では、受信レベルの大小に依らずに、充電電流を零にするのである。
【０１５７】
次に、周波数帯が１９００ＭＨｚである場合について説明する。図２３の例示では、受信確認動作と通信中との区別に依らず、および、受信レベルが基準値よりも大きいか否かに依らず、非接触充電中に送信信号Ｒｘ１を送信するときには、送信レベルの最大値を下げる。つまり、ここでは１９００ＭＨｚ帯において、受信感度が、送信レベルの増大に伴って劣化する場合を想定している。このように、送信レベルの最大値を下げることで、非接触充電において、より優れた受信感度で受信信号Ｒｘ１を受信することができる。
【０１５８】
また、周波数帯域が１９００ＭＨｚである場合には、受信確認動作において、受信信号Ｒｘ１の受信レベルの大小に依らずに、受信感度を向上できる電流値（例えば５００ｍＡ）で非接触充電を行う。これにより、より優れた受信感度で受信確認動作を行うことができる。
【０１５９】
一方で、通信中においては、受信レベルが基準値よりも大きいか小さいか否かによって、充電電流の大きさを異ならせる。より具体的には、受信レベルが基準値よりも大きいときには、受信感度とは無関係に決定した第１電流値（例えば９００ｍＡ）で非接触充電を行う。他方、受信レベルが基準値より小さいときには、受信感度を向上できる第２電流値（例えば５００ｍＡ）で非接触充電を行う。なお、ここでいう受信感度を向上できる第２電流値とは、第１電流値を採用したときの受信感度よりも高い受信感度を与える電流値である。
【０１６０】
以上のように通信中における受信レベルが十分に高いときには、受信感度が要求されないので、通常の第１電流値で非接触充電を行い、受信レベルが小さいときには、受信感度を優先した第２電流値で非接触充電を行うのである。
【０１６１】
第３の実施の形態．
第１の実施の形態では、非接触充電器８からの電波ＣＷ１の高次の周波数成分と送信信号Ｔｘ１とが、受信信号Ｒｘ１の妨害波を生じることについて説明した。ここでは、そのような妨害波をほとんど生じない周波数帯域について考慮する。このような周波数帯域の一例として、例えば送信信号の周波数および充電器側コイル８ａから発生する電磁波の高次の周波数の和のいずれもが、受信信号と一致しない周波数帯域がある。ここでいう「一致しない」とは、例えば当該和と受信信号の周波数との差が、受信信号の信号幅（周波数幅）よりも広いことを意味する。
【０１６２】
ここでは妨害波をほとんど生じない周波数帯域として、８００ＭＨｚ帯（送信帯域が824.7〜848.31[MHz]、受信帯域が869.7〜893.31[MHz]、もしくは送信帯域が817.9〜823.1[MHz]、受信帯域が862.9〜868.1[MHz]）を例示する。
【０１６３】
このとき、非接触充電中の送信レベルの増大と受信感度の劣化との間の相関は、第１の実施の形態で述べた周波数帯域に比して小さい。つまり、この周波数帯域おいて、送信レベルを増大させても受信感度はあまり劣化しない。そこで最大値設定部１３は、この周波数帯域においては、非接触充電の有無によって送信レベルの最大値を変更しない。
【０１６４】
図１７の制御部１０は、図７に比して周波数帯域特定部１０４を更に備えている。周波数帯域特定部１０４は送信信号Ｔｘ１および受信信号Ｒｘ１の周波数帯域を特定する。例えば使用する周波数帯域が予め決められているときには、その周波数帯域についての情報が記憶部（例えば記憶部１０３）に格納されており、周波数帯域特定部１０４はこの記憶部を読み取って周波数帯域を特定してもよい。この場合、無線通信部１１０はその周波数帯域のみで通信を行なう。
【０１６５】
或いは、無線通信部１１０は複数の周波数帯域に対応していても良い。つまり無線通信部１１０は複数の周波数帯域において通信を行なうことができてもよい。この場合、制御部１０が無線通信部１１０を介して、順次に周波数帯域を変更して通信を行なう。例えば受信確認動作について説明すると、まず、例えば妨害波が生じる第１の周波数帯域（例えば１９００ＭＨｚ帯）において受信確認動作を行う。そして、携帯無線端末１へ送信すべき信号（着信など）がある場合には、これに応じた動作を行ない、当該信号が無い場合には、第１の周波数帯域における動作を終了する。続いて、妨害波が生じにくい第２の周波数帯域（例えば８００ＭＨｚ帯）において受信確認動作を行なう。そして、携帯無線端末１へ送信すべき信号がある場合には、これに応じた動作を行い、当該信が無い場合には、第２の周波数帯域における動作を終了する。周波数帯域特定部１０４は通信を行なっている周波数帯域を特定する。
【０１６６】
第１の周波数帯域における通信を行なう場合には、最大値設定部１３は、第１の実施の形態で述べたように非接触充電中の送信レベルの最大値を、非接触充電を行わないときの送信レベルの最大値よりも小さく決定する。
【０１６７】
他方、第２の周波数帯域における通信を行なう場合には、最大値設定部１３は非接触充電の実行の有無によらず、送信レベルの最大値を変更しない。これにより処理数を低減して処理を簡易にすることができる。
【０１６８】
＜充電電流＞
次に非接触充電における充電電流について述べる。第２の周波数帯域において、非接触充電における充電電流と受信感度との関係が略ステップ状に変化する場合がある。図１８は充電電流と受信感度との関係の一例を模式的に示している。充電電流が零から増大すると、充電電流の増大に伴って受信感度が急激に劣化し、受信感度がある一定レベルに達すると、充電電流の変化に対して受信感度があまり変化しない。つまり、受信感度は充電電流が小さいときに急激に増大しつつ、ある一定レベルに漸近、或いは収束する。また図１８に例示するように、受信感度が増大する領域（充電電流の領域）は狭い。
【０１６９】
このような第２の周波数帯域においては、電流制御部１６は、受信レベルが基準値よりも小さいときの第２電流値として、零を採用する。つまり、受信レベルが基準値よりも小さいときには受信感度を優先して非接触充電を中断するのである。図１５を参照して説明すると、第２の周波数領域においては、ステップＳ３３において電流制御部１６は充電電流を零にする。
【０１７０】
また第２の実施の形態では、受信確認動作に費やす時間が、受信レベルと基準値との大小関係に応じた電流値の決定にとって短い場合に、(ii)受信確認動作において第２電流値で充電電流を制御した。第２の周波数帯域では、受信確認動作においても第２電流値として零を採用する。つまり受信確認動作においても非接触充電を中断する。これにより、受信レベルが不明な受信確認動作において、より優れた受信感度で受信確認動作を行なうことができる。
【０１７１】
なお上述の例では、１９００ＭＨｚ帯および８００ＭＨｚ帯で説明した。しかるに、携帯無線端末１および非接触充電器８の仕様によっては、送信レベルと受信感度との相関の強弱が１９００ＭＨｚ帯と８００ＭＨｚ帯とで反対となることも考えられる。この場合、最大値設定部１３の動作も反対となる。要するに、最大値設定部１３は、送信レベルの増大に伴って受信感度が劣化する相関が強い第１周波数帯域においては、非接触充電において送信レベルの最大値を低減させ、第１周波数帯域よりも当該相関が弱い第２周波数帯域においては、非接触充電の実行の有無によって送信レベルの最大値を変化させない。
【０１７２】
同様に、携帯無線端末１および非接触充電器８の仕様によっては、充電電流と受信感度との相関について、上述した説明とは１９００ＭＨｚ帯と８００ＭＨｚ帯とで反対となることも考えられる。この場合、電流制御部１６の動作も反対となる。要するに、電流制御部１６は、充電に使用される領域（例えば１００ｍＡ以上）において充電電流の変化に対して受信感度が比較的に変化しない周波数帯域に対しては、受信レベルが基準値よりも小さいとき、或いは、受信確認動作が行なわれるときに、充電電流を零とする。
【０１７３】
第４の実施の形態．
第４の実施の形態では、非接触充電を行っている状態で、着信があったときの表示画面について述べる。またここでは、第２または第３の実施の形態で述べたように、非接触充電が行われつつ通話（着信信号の受信または発呼信号の送信を含む）が行われる期間において、電流制御部１６が受信レベルと基準値との大小関係に応じて充電電流を調整することを前提とする。すなわち、受信レベルが基準値よりも小さいときに充電電流を低減することを前提とする。
【０１７４】
表示制御部１９は、非接触充電を行いつつ通話が行なわれているときに、非接触充電が抑制される可能性（充電電流が低減する可能性）を示す充電情報を、表示領域２ａに表示する。
【０１７５】
図１９は表示制御部１９の動作の一例を示すフローチャートである。ステップＳ４０において、表示制御部１９は非接触充電が行われているか否かを判定する。この判定は判定部１４の判定結果に基づいて行われる。非接触充電が行われていないと判定したときにはステップＳ４０を再び実行する。
【０１７６】
非接触充電が行われていると判定したときには、ステップＳ４１において、表示制御部１９は通話が行なわれているか否かを判定する。これは、通話処理部１８が通話を行なっているか否かの情報を表示制御部１９へと通知することで行なわれる。通話が行なわれていないと判定したときには再びステップＳ４０を実行する。
【０１７７】
通話が行われていると判定したときには、つまり、非接触充電を行いつつ通話が行なわれるときには、ステップＳ４２において表示制御部１９は充電情報を表示装置２０に表示する。図２０は、表示領域２ａに表示する表示画面（以下、充電通知画面と呼ぶ）の一例を示している。表示領域２ａには充電情報１９ａが表示されており、図２０の例示では模式的に線で示されている。この充電情報１９ａは例えば文章であり、例えば「音声通話中に非接触充電が抑制されるかもしれないことにご注意ください。」などの文章を採用することができる。受信レベルが基準値よりも小さいときに、充電電流を零にする場合には、充電情報１９ａは充電が中断される可能性についての情報を示し、例えば「音声通話中に非接触充電が中断されるかもしれないことにご注意ください。」などの文章を採用することができる。
【０１７８】
次にステップＳ４３において表示制御部１９は、充電情報１９ａの表示、ひいては充電通知画面の表示を終了する終了操作が行なわれたか否かを判定する。図２０の例示では、充電通知画面には終了ボタン１９ｂが表示されている。終了操作としては、この終了ボタン１９ｂに対する操作を採用できる。終了ボタン１９ｂに対する操作がないときには、ステップＳ４３を実行する。終了ボタン１９ｂに対する操作がったときには、ステップＳ４４において表示制御部１９は充電情報１９ａの表示、ひいては充電通知画面の表示を終了する。そして表示制御部１９は通話を終了するための通話画面を表示する。
【０１７９】
これにより、使用者は音声通話中に充電が抑制或いは中断される可能性を認識することができる。よって電池６０の残量が少なくより効率的な充電を希望する場合には、使用者は適切な対処を行なうことができる。より具体的には、使用者は、例えば接触充電器を充電用コネクタ８４に接続して、充電用コネクタ８４の電圧を用いて電池６０を充電する。或いは、使用者は充電情報１９ａを認識して、通話を抑制してもよい。
【０１８０】
またステップＳ４２において、表示制御部１９は充電情報１９ａのみならず、充電用コネクタ８４の電圧を用いた充電を使用者に促す充電切替情報１９ｃを表示しても良い。図２０の例示でも充電切替情報１９ｃは模式的に下線で示されている。充電切替情報１９ｃとしては、例えば「接触充電器を用いた充電をお勧めします。」などの文章を採用できる。これにより、使用者は、充電用コネクタ８４の電圧を用いた充電の必要性をより直接的に認識することができる。
【０１８１】
なお上述の例では、ステップＳ４３の終了操作によって充電通知画面の表示を終了しているが、通話が終了したとき、および、非接触充電が終了したときにも、当該表示を終了してもよい。
【０１８２】
またここでは通知画面とは別の充電通知画面を表示する。よって、次のタイミングで充電通知画面を表示することが望ましい。例えば通話相手の携帯無線端末１からの着信信号を受信したときには、表示制御部１９はこれに応答するか否かを入力できる通話画面を表示するので、このタイミングでは充電通知画面を表示しない。そして、使用者が着信に対して応答する操作を行うと、表示制御部１９が充電通知画面を表示する。
【０１８３】
また使用者が通話相手を選択して発呼信号を送信する操作を行うと、表示制御部１９は通話相手を呼び出し中であることを示す通話画面を表示する。よってこのタイミングでは充電通知画面を表示しない。そして、通話相手の携帯無線端末１から応答信号を受信したときに、表示制御部１９は充電通知画面を表示する。
【０１８４】
これにより、通話に関する操作を阻害することなく、充電通知画面を表示することができる。
【０１８５】
なお上述の例では、通話画面とは異なる充電通知画面に情報１９ａ，１９ｃを表示したが、通話画面において情報１９ａ，１９ｃを表示しても構わない。
【０１８６】
また、第２及び第３の実施の形態で説明した一例では、非接触充電中の受信レベルが基準値よりも大きいときには、充電電流として比較的大きな第１電流値を採用し、受信レベルが基準値よりも小さいときには、第１電流値よりも小さい第２電流値（零を含む）を採用する。つまり充電電流が低減するのは、受信レベルが基準値よりも小さいときである。よって、表示制御部１９は、受信レベルが基準値よりも小さいときに、情報１９ａ（或いは更に情報１９ｃ）を表示領域２ａに表示してもよい。つまり、実際に充電電流が低減したときに、情報１９ａ（或いは更に情報１９ｃ）を表示するのである。
【０１８７】
図２１は表示制御部１９の動作の一例を示すフローチャートである。図１９と比較して、ステップＳ４５が更に実行される。ステップＳ４５は例えばステップＳ４１において肯定的な判定がなれたときに実行される。他方、ステップＳ４２はステップＳ４１による肯定的な判定があるだけでは実行されない。ステップＳ４５においては、表示制御部１９は受信レベル測定部１１によって測定された受信レベルが基準値よりも大きいか否かを判定する。受信レベルが基準値よりも大きいときには、ステップＳ４０を実行する。受信レベルが基準値よりも小さいときにはステップＳ４２を実行する。
【０１８８】
これによれば、実際に充電電流が低減しているときに、情報１９ａ（更には情報１９ｃ）が表示される。よって実際に充電電流が低減していることを使用者が了知できる。このとき、情報１９ａとしては、実際に充電電流が低減していることを示す情報を採用できる。例えば第２電流値が零以外であるときには、「充電が抑制されています。」などの文章を採用でき、また第２電流値が零であるときには「充電が中断されています。」などの文章を採用できる。
【０１８９】
さて充電を中断すると、つまり第２電流値が零であるときには、通話に伴って電池６０の電荷量が低減する。よってこの場合、電荷量の低減をトリガとして情報１９ａ（あるいは更に情報１９ｃ）を表示しても良い。
【０１９０】
図２２は表示制御部１９の動作の一例を示すフローチャートである。図１９と比較してステップＳ４６が更に実行される。ステップＳ４５は例えばステップＳ４１において肯定的な判定がなれたときに実行される。他方、ステップＳ４２はステップＳ４１による肯定的な判定があるだけでは実行されない。ステップＳ４６においては、表示制御部１９は電荷量検出部７８によって検出された電池６０の電荷量の、時間に対する変化率が負であるか否かを判定する。当該変化率が正であると判定したきには、充電が行われていると判定して、再びステップＳ４０を実行する。当該変化率が負であると判定したときには、ステップＳ４２を実行する。
【０１９１】
これによっても、実際に充電が中断しているときに、情報１９ａ（或いは更に情報１９ｃ）を表示する。よって充電が中断していることを使用者が了知できる。また情報１９ａとしては、実際に充電電流が中断していること（中断している最中であること）を示す情報を採用でき、例えば「充電が中断されています。」などの文章を採用できる。
【０１９２】
また上述の例では、受信レベルが基準値よりも小さくても充電が維持される場合にも、つまり第２電流値が零以外である場合にも、表示制御部１９は、充電が抑制される旨の情報１９ａを表示した。しかしながら、この場合には情報１９ａ，１９ｃを表示しなくてもよい。充電が抑制されることは、使用者にとって必ずしも重要な情報ではないと考えられるので、これを表示しないのである。これにより処理を簡易にできる。
【０１９３】
例えば１９００ＭＨｚ帯において、受信レベルが基準値よりも小さいときに、５００ｍＡなどで充電電流を制御し、８００ＭＨｚ帯において、受信レベルが基準値よりも小さいときに充電電流を零に制御する場合を想定する。この場合、表示制御部１９は、非接触充電を行いつつ１９００ＭＨｚ帯を用いて通話を行なうときには、情報１９ａ，１９ｃを表示せずに、非接触充電を行いつつ８００ＭＨｚ帯を用いて通信を行なうときに、情報１９ａ（或いは更に情報１９ｃ）を表示するのである。
【０１９４】
＜表示の変形例＞
上述の例では、非接触充電が行われつつ通話を行うことをトリガとして、情報１９ａ（更には情報１９ｃ）を表示した。しかるに、表示制御部１９は、非接触充電が行われることをトリガとして、情報１９ａを表示しても良い。これによっても、使用者は音声通話中に充電が中断または抑制されることを認識できる。
【０１９５】
しかしながら、非接触充電を行われたことをトリガとして情報１９ａを表示すると、非接触充電を開始する際に表示装置２０に表示されていた表示画面を阻害しえる。そこで、表示制御部１９は、非接触充電が行われた状態で使用者による所定の操作があったことをトリガとして、情報１９ａ（更には情報１９ｃ）を表示しても良い。この所定の操作は任意の操作であってよい。例えば非接触充電を行うときに、それを示す絵図を表示領域２ａの上部（ピクト領域）に表示する場合には、当該絵図に対する操作を採用できる。或いは、所定の第１操作を受けて、ピクト領域に表示する絵図を説明するための画面（Notification Window）を表示し、当該絵図についての説明領域（非接触充電であることを説明する領域）に対する第２操作を受けたときに、情報１９ａ（或いは更に情報１９ｃ）を表示しても良い。
【０１９６】
これによれば、非接触充電が行われても、使用者による操作が無い限りは、情報１９ａ（或いは更に情報１９ｃ）が表示されない。よって非接触充電の際に表示領域２ａに表示されていた表示画面を阻害しない。その一方で、使用者による操作によって情報１９ａ（或いは更に情報１９ｃ）が表示されるので、使用者は、充電が抑制される可能性を了知できる。
【０１９７】
以上のように、携帯無線端末１は詳細に説明されたが、上記した説明は、全ての局面において例示であって、この発明がそれに限定されるものではない。要するに、非接触充電を行う機能と、外部装置と無線通信を行う機能とを有する任意の装置に対して、上述の技術を適用することができる。例えば自動車に搭載される装置、パソコン（例えばノートパソコン）等にも適用可能である。また、上述した各種実施の形態および変形例は、相互に矛盾しない限り組み合わせて適用可能である。そして、例示されていない無数の変形例が、この発明の範囲から外れることなく想定され得るものと解される。
【符号の説明】
【０１９８】
１  携帯無線端末
２ａ  表示領域
１３  最大値設定部
１２  送信レベル決定部
２０  表示装置
６０  電池
１１０  無線通信部
８ａ  充電器側コイル
８２ａ  充電用コイル
８４  充電用コネクタ
８６  選択部
【図１】
2015208093.tif 000004
【図２】
2015208093.tif 000005
【図３】
2015208093.tif 000006
【図４】
2015208093.tif 000007
【図５】
2015208093.tif 000008
【図６】
2015208093.tif 000009
【図７】
2015208093.tif 000010
【図８】
2015208093.tif 000011
【図９】
2015208093.tif 000012
【図１０】
2015208093.tif 000013
【図１１】
2015208093.tif 000014
【図１２】
2015208093.tif 000015
【図１３】
2015208093.tif 000016
【図１４】
2015208093.tif 000017
【図１５】
2015208093.tif 000018
【図１６】
2015208093.tif 000019
【図１７】
2015208093.tif 000020
【図１８】
2015208093.tif 000021
【図１９】
2015208093.tif 000022
【図２０】
2015208093.tif 000023
【図２１】
2015208093.tif 000024
【図２２】
2015208093.tif 000025
【図２３】
2015208093.tif 000026